(57)【特許請求の範囲】
【請求項１】
水廻り器具から排出された排水を一時的に貯留する一時貯留槽と、
前記水廻り器具からの排水を前記一時貯留槽へ導く排水導入管と、
前記一時貯留槽に複数本接続され、内径が８ｍｍ以上１５ｍｍ未満であり、前記一時貯留槽に貯留された排水にサイフォン力を作用させて流出させるサイフォン排水管と、
を有し、
前記一時貯留槽に構成された貯留空間は、上方で互いに連通される複数の個別貯留部に仕切壁により区画され、
複数の前記個別貯留部は、複数本の前記サイフォン排水管が接続される第１の個別貯留部と、１本の前記サイフォン排水管が接続される第２の個別貯留部と、を備え、
前記第１の個別貯留部には、前記排水導入管が接続され、
前記第２の個別貯留部には、前記排水導入管が接続されない、又は、前記第１の個別貯留部に接続される排水導入管よりも排水量の少ない前記排水導入管が接続される、サイフォン排水システム。
【請求項２】
前記サイフォン排水管の本数は、前記排水導入管の本数よりも多い請求項１に記載のサイフォン排水システム。
【請求項３】
前記第１の個別貯留部に接続された複数本の前記サイフォン排水管は、第１のサイフォン排水管と、前記第１のサイフォン排水管よりも上方に配置される第２のサイフォン排水管と、を有する請求項１又は請求項２に記載のサイフォン排水システム。
【発明の詳細な説明】
【技術分野】
【０００１】
本発明は、サイフォン力を利用して排水するサイフォン排水システムに関する。
【背景技術】
【０００２】
近年、従来の勾配排水システムに替わって、サイフォン排水システムが提案されている。
サイフォン排水システムは、水廻り器具とサイフォン排水管とを含んで構成されている。このサイフォン排水管は、床スラブに沿って無勾配で配管された横引き管と、垂下部をなす竪管とを有している。この種のサイフォン排水システムによれば、竪管にて発生するサイフォン力を利用して、水廻り器具からの排水効率の向上を図ることができる。
【０００３】
しかし、上述のサイフォン排水システムでは、水廻り器具からの排水の開始からサイフォン力が起動するまでにタイムラグがあり、排水量が多い場合、水廻り器具に排水が溢れる虞がある。
このため、排水システム中に、水廻り器具からの排水を一時的に貯留する一時貯留槽を配置し、サイフォン力が起動するまでのタイムラグ時の排水の溢れを一時貯留槽での一時貯留により解消する一時貯留槽方式のサイフォン排水システムも提案されている（特許文献１、２参照）。
【先行技術文献】
【特許文献】
【０００４】
【特許文献１】特開２００８−８２１５３号公報
【特許文献２】特開２００７−３１５０３６号公報
【発明の概要】
【発明が解決しようとする課題】
【０００５】
ところで、一時貯留槽を用いたサイフォン排水システムのサイフォン力の起動条件の一つとして、一時貯留槽に貯留された排水の貯留水位がサイフォン起動基準水頭に達することがある。このサイフォン起動基準水頭は、サイフォン排水管の内径が小さくなると低くなり、内径が大きくなると高くなる。しかし、サイフォン排水管の内径が小さ過ぎると排水の処理可能流量が十分に確保できない。また、サイフォン排水管の内径が大き過ぎるとサイフォン起動基準水頭が高くなり、サイフォン力が起動するまでの時間が長くなったり、条件によってはサイフォン力が発生しないこともある。
【０００６】
なお、サイフォン排水管の処理可能流量とは、サイフォン力が起動して排水がサイフォン排水管を満流で流れるときの単位時間当たりに処理可能な流量を示している。
また、サイフォン力の起動には排水がサイフォン排水管へある程度の圧力で押し込まれる必要があり、サイフォン起動基準水頭とは、サイフォン力を起動させるための必要最低限の圧力を得るための水頭を示している。
【０００７】
本発明は、上記事実を考慮し、サイフォン排水管による排水の処理可能流量を確保しつつ、サイフォン起動基準水頭を低く抑えてサイフォン力が起動するまでの時間を短縮するサイフォン排水システムを提供することを目的とする。
【課題を解決するための手段】
【０００８】
本発明の請求項１のサイフォン排水システムは、水廻り器具から排出された排水を一時的に貯留する一時貯留槽と、前記水廻り器具からの排水を前記一時貯留槽へ導く排水導入管と、前記一時貯留槽に複数本接続され、内径が８ｍｍ以上１５ｍｍ未満であり、前記一時貯留槽に貯留された排水にサイフォン力を作用させて流出させるサイフォン排水管と、を有し、前記一時貯留槽に構成された貯留空間は、上方で互いに連通される複数の個別貯留部に仕切壁により区画され、複数の前記個別貯留部は、複数本の前記サイフォン排水管が接続される第１の個別貯留部と、１本の前記サイフォン排水管が接続される第２の個別貯留部と、を備え、前記第１の個別貯留部には、前記排水導入管が接続され、前記第２の個別貯留部には、前記排水導入管が接続されない、又は、前記第１の個別貯留部に接続される排水導入管よりも排水量の少ない前記排水導入管が接続される。
【０００９】
請求項１のサイフォン排水システムでは、水廻り器具から排出された排水が一時貯留槽（個別貯留部）に貯溜される。一時貯留槽（個別貯留部）に貯留された排水の貯留水位がサイフォン起動基準水頭に達すると、サイフォン力の起動準備が開始される。そして、起動準備が完了した後、サイフォン力が起動する。なお、貯留水位がサイフォン起動基準水頭に達しない場合、サイフォン力は起動しない（サイフォン力の起動準備が開始されない）。
【００１０】
ここで、サイフォン排水管の内径を８ｍｍ以上１５ｍｍ未満に設定することで、サイフォン起動基準水頭を低く抑えて、サイフォン力が起動するまでの時間を短縮することができる。そして、このような内径のサイフォン排水管を一時貯留槽に複数本接続することで、サイフォン排水管全体としての処理可能流量を確保することができる。
また、請求項１のサイフォン排水システムでは、第１の個別貯留部に排水量が多い排水導入管を接続し、第２の個別貯留部に排水導入管自体を接続しない、又は第１の個別貯留部に接続された排水導入管よりも排水量が少ない排水導入管を接続することで、一時貯留槽から排水が溢れ出すのを抑制しつつ、サイフォン排水管の本数を必要最低限に抑えることができる。このようにサイフォン排水管の本数を必要最低限に抑えることで、サイフォン排水管の取付作業の工数を減らし、且つコストダウンも達成することができる。
また、複数の個別貯留部は上方で互いに連通されていることから、例えば、一の個別貯留部から排水が溢れ出た場合、溢れ出た排水は一の個別貯留部に隣接する他の個別貯留部に流れ込み、他の個別貯留部に貯留される。他の個別貯留部に貯留された排水の貯留水位が、サイフォン起動基準水頭に達すると、サイフォン力の起動準備が開始される。このように、一時貯留槽の貯留空間を上方で互いに連通される複数の個別貯留部に区画することで、貯留空間を区画しない場合よりも、個別貯留部に貯留される排水の貯留水位がサイフォン起動基準水頭へ迅速に達するため、サイフォン力が起動するまでの時間を短縮させることができる。
【００１１】
請求項２のサイフォン排水システムは、請求項１のサイフォン排水システムにおいて、前記サイフォン排水管の本数は、前記排水導入管の本数よりも多い。
【００２３】
請求項３のサイフォン排水システムは、請求項１又は請求項２のサイフォン排水システムにおいて、前記第１の個別貯留部に接続された複数本の前記サイフォン排水管は、第１のサイフォン排水管と、前記第１のサイフォン排水管よりも上方に配置される第２のサイフォン排水管と、を有する。
【００２４】
請求項３のサイフォン排水システムでは、サイフォン力が起動していない状態で、一時貯留槽内に排水が流入すると一時貯留槽内の貯留空間が正圧となる。このとき、貯留空間の空気は、排水の貯留水位が達していない第２のサイフォン排水管を通って排出される。つまり、第２のサイフォン排水管を第１のサイフォン排水管よりも上方に配置していることから、排水の貯留水位が達していない場合に第２のサイフォン排水管を通気用の配管として使用することができる。そして、貯留空間の空気が排出されることにより、貯留空間内の圧力上昇が抑制され、排水導入管から一時貯留槽への排水をスムーズに行うことができるようになり、排水トラップ部からの排水の拭き出し等を抑制することができるようになる。
【発明の効果】
【００２７】
本発明のサイフォン排水システムは、上記構成としたので、サイフォン排水管による排水の処理可能流量を確保しつつ、サイフォン起動基準水頭を低く抑えてサイフォン力が起動するまでの時間を短縮することができる。
【図面の簡単な説明】
【００２８】
【図１】第１参考形態に係るサイフォン排水システムの全体構成を示す概略図である。
【図２】第１参考形態に係る一時貯留槽の構成を示す斜視図である。
【図３】図２の３−３線断面図である。
【図４】第１参考形態に係る一時貯留槽に排水が貯留された状態を示す斜視図である。
【図５】図４の５−５線断面図である
【図６】第２参考形態に係る一時貯留槽の構成を示す斜視図である。
【図７】図６の７−７線断面図である。
【図８】第３参考形態に係る一時貯留槽の構成を示す斜視図である。
【図９】図８の８−８線断面図である。
【図１０】本発明の第１実施形態に係る一時貯留槽の構成を示す斜視図である。
【図１１】図１０の１１−１１線断面図である。
【図１２】比較例の構成を示す斜視図である。
【図１３】従来例の構成を示す斜視図である。
【発明を実施するための形態】
【００２９】
［第１参考形態］
以下に、本発明を適用していないサイフォン排水システムの第１参考形態を図面に基づき説明する。
まず、本参考形態に係るサイフォン排水システムの全体構成を説明する。図１には、本参考形態に係るサイフォン排水システムの全体構成が概略図にて示されている。
【００３０】
本参考形態に係るサイフォン排水システム１０は、サイフォン力を利用して水廻り器具からの排水を効率よく排出する排水システムである。
【００３１】
本参考形態のサイフォン排水システム１０は、主に複数階で構成された集合住宅などに用いられる。図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００３２】
集合住宅の各階の各戸には、複数（本参考形態では、３つ）の水廻り器具１６が設けられており、これらの水廻り器具１６には、各水廻り器具１６から排出される排水を流す排水導入管１８の一端がそれぞれ接続されている。なお、各排水導入管１８は同一径のものでも異径のものでも構わない。各排水導入管１８の他端は、一時貯留槽５０とそれぞれ接続されている。各排水導入管１８は、一時貯留槽５０側が低くなるように勾配をもって配設されるのが望ましい。
なお、排水導入管１８は必須ではなく、水廻り器具１６は、一時貯留槽５０に直接接続されていてもよい。
【００３３】
図２に示すように、一時貯留槽５０は箱状とされており、水廻り器具１６からの排水を一時貯留するために設置されている。一時貯留槽５０の内部には、水廻り器具１６からの排水を貯留する貯留空間５２が構成されている。また、一時貯留槽５０内には、複数の仕切壁５４が設けられ、貯留空間５２が複数（本参考形態では、６つ）の個別貯留部に区画されている。なお、各個別貯留部をそれぞれ符号５２Ａ〜５２Ｆで示す。
また、本参考形態では、仕切壁５４の上端５４Ａが、一時貯留槽５０の天面よりも下方に位置している。このため、各個別貯留部５２Ａ〜５２Ｆは、上方で互いに連通している。また、仕切壁５４の上端５４Ａの位置は、サイフォン起動基準水頭よりも高い位置に設定されている（図３参照）。
【００３４】
各個別貯留部５２Ａ〜５２Ｆには、それぞれ１本のサイフォン排水管２２が接続されている。また、個別貯留部５２Ａ、５２Ｃ、５２Ｅには、排水導入管１８がそれぞれ接続されている。すなわち、排水導入管１８の本数よりもサイフォン排水管２２の本数が多くなっている。
【００３５】
図１に示すように、サイフォン排水管２２は、床スラブ１４に沿って配設される横引き管２４と、この横引き管２４と連通する竪管２６とを備えて構成されている。横引き管２４は、一時貯留槽５０と連通され、床スラブ１４上で水平方向に無勾配で配設されている。横引き管２４と連通する竪管２６は、排水立て管１２に沿って、上下方向（鉛直方向）に配設されている。この竪管２６は、合流部継手４０を介して排水立て管１２と連結されている。合流部継手４０は、竪管２６からの排水を排水立て管１２へ合流させる。
【００３６】
横引き管２４及び竪管２６は、１本の排水管（複数の管を連結した場合にも分岐部分のない管）で構成され、合流部継手４０までは他の排水管と途中で合流することなく、排水立て管１２へ排水を導くようになっている。
【００３７】
また、横引き管２４及び竪管２６は、排水が満流で流れるように管の内径が８ｍｍ以上〜１５ｍｍ未満に設定されている。なお、内径が８ｍｍ以上〜１５ｍｍ未満を満たす管としては、呼び径１０〜１３Ａの配管を用いることが好ましい。
横引き管２４内の排水には、水頭差Ｈｓにて排水が落下するときに生じるエネルギーにより、排水方向へ向かうサイフォン力が作用される。
【００３８】
次に、第１参考形態のサイフォン排水システム１０の作用について説明する。
図４、５に示すように、各水廻り器具１６からの排水は、各排水導入管１８を通じて一時貯留槽５０の個別貯留部５２Ａ、５２Ｃ、５２Ｅにそれぞれ流入する。各排水導入管１８からの流入量がサイフォン排水管２２の１本当たりの排水量（サイフォン力が作用していないときの処理流量）を超えている場合には、個別貯留部５２Ａ、５２Ｃ、５２Ｅにそれぞれ排水が貯留されていく。
【００３９】
各個別貯留部５２Ａ、５２Ｃ、５２Ｅに貯留された排水の貯留水位がサイフォン起動基準水頭に達すると、各サイフォン排水管２２の横引き管２４内に排水がある程度の圧力で押し込まれ始める。なお、サイフォン力の起動準備の開始とは、排水がある程度の圧力で横引き管２４内に押し込まれ始めることを指す。そして、ある程度の圧力（サイフォン排水管内を満流状態にできる圧力）で押し込まれた排水により横引き管２４内が満流状態になる。その後、満流状態の横引き管２４内の排水が竪管２６内を落下する。このときの排水の落下により生じるエネルギーによって排水方向へ向かうサイフォン力が横引き管２４内及び一時貯留槽５０内の排水に作用する。これにより、個別貯留部５２Ａ、５２Ｃ、５２Ｅに貯留された排水がそれぞれのサイフォン排水管２２を通じて流出される。
【００４０】
また、個別貯留部５２Ａ〜５２Ｆは上方で互いに連通されていることから、サイフォン力が起動するまでのタイムラグの間に排水導入管１８からの排水で、個別貯留部５２Ａ、５２Ｅから排水が溢れ出た場合、溢れ出た排水は、隣接する個別貯留部５２Ｂ、５２Ｄ、５２Ｆに流れ込み、それぞれに接続されたサイフォン排水管２２を通じて排出される。
【００４１】
また、個別貯留部５２Ｂ、５２Ｄ、５２Ｆに貯留された排水の貯留水位が、サイフォン起動基準水頭に達すると、上述のサイフォン力の起動準備が開始される。その後、起動した排水方向へ向かうサイフォン力が横引き管２４内及び一時貯留槽５０内の排水に作用し、個別貯留部５２Ｂ、５２Ｄ、５２Ｆに貯留された排水がサイフォン力によりそれぞれのサイフォン排水管２２を通じて流出される。
【００４２】
このように、一時貯留槽５０の貯留空間５２を、上方で互いに連通するように複数の個別貯留部５２Ａ〜５２Ｆに区画することで、貯留空間５２を区画しないものよりも、各個別貯留部５２Ａ〜５２Ｆに貯留される排水の貯留水位がサイフォン起動基準水頭へ迅速に達するため、サイフォン力が起動するまでの時間を短縮させることができる。
【００４３】
また、サイフォン排水管２２の内径を８ｍｍ以上１５ｍｍ未満に設定することで、サイフォン起動基準水頭を低く抑えて、サイフォン力が起動するまでの時間を短縮することができる。そして、このような内径のサイフォン排水管２２を一時貯留槽５０に複数本接続することで、サイフォン排水管２２全体としての処理可能流量を確保することができる。
【００４４】
具体的に説明すると、従来の一時貯留槽方式のサイフォン排水システムでは、従来の一時貯留槽方式を採用していないサイフォン排水システムに合せて、呼び径２０〜２５Ａ（内径２０〜２５ｍｍ）のサイフォン排水管を用いていたため、サイフォン起動基準水頭が高い位置にあった。このため、従来の一時貯留槽方式のサイフォン排水システムでは、サイフォン力が起動するまでの時間が長く、さらには、サイフォン起動基準水頭よりも一時貯留槽の高さを高く設定する必要があった（一時貯留槽の高さよりもサイフォン起動基準水頭が高い場合には、サイフォン力は起動しない）。
しかし、本参考形態のサイフォン排水システム１０では、サイフォン排水管２２として、内径が８ｍｍ以上１５ｍｍ未満の配管を使用するため、呼び径２０〜２５Ａの配管を用いる従来の一時貯留槽方式のサイフォン排水システムと比べて、サイフォン起動基準水頭を低く抑えることができ、サイフォン力が起動するまでの時間を短縮することができる。
【００４５】
本参考形態のサイフォン排水システム１０は、従来の一時貯留槽方式のサイフォン排水システムよりも、サイフォン起動基準水頭を低く抑えられることから、一時貯留槽５０の高さ（縦方向の長さ）を低くすることが可能となる。
また、従来の一時貯留槽方式のサイフォン排水システムと比べてサイフォン力が起動するまでの時間を短縮することができるため、一時的に排水を貯留することを目的としている一時貯留槽５０の貯留容量（貯留空間５２）を小さくする（主に水平方向のサイズを小さくする）ことが可能となり、一時貯留槽５０の小型化を図ることができるようになる。一時貯留槽５０を小型化した場合には、床下スペースを十分に確保することができ、メンテナンスなどの作業が容易なものとなる。また、一時貯留槽５０の製造コストも下げられる。
【００４６】
また、サイフォン排水管２２の内径を１５ｍｍ未満に設定することで、内径を１５ｍｍ以上に設定した場合よりもサイフォン起動基準水頭が低くなることから、一時貯留槽５０の高さをより低くすることが可能となる。これにより、ＦＬ（フロアレベル）とＳＬ（スラブレベル）との間隔がより狭い場所にも設置可能となる。
【００４７】
また、サイフォン排水管２２の内径を８ｍｍ以上に設定することで、内径を８ｍｍ未満に設定した場合よりもサイフォン排水管２２の１本当たりの処理可能流量を増すことができることから、一時貯留槽５０に設けるサイフォン排水管２２の本数を減らすことができる。
【００４８】
一方、横引き管２４の長さは、サイフォン起動基準水頭と比例関係にあり、横引き管２４の長さが長くなるとサイフォン起動基準水頭も高くなる。このため、一時貯留槽５０の高さを変えずにサイフォン排水管２２の内径を小さくしてサイフォン起動基準水頭を低くし、低くした分だけ横引き管２４の長さを長くすることが可能となる。
【００４９】
また、サイフォン排水管２２として呼び径１０〜１３Ａの可撓管を使用した場合、呼び径２０〜２５Ａの可撓管を使用した場合と比べて、配管が可撓し易いため、作業性がよく、施工費の削減も可能となる。
さらには、在庫や、部品手配の点から、呼び径１０〜１３Ａの配管は、給水・給湯で最も使用されるサイズの配管のため、在庫管理や部品手配などの作業を簡略化することが可能となる。また、大量購入により単価も安く抑えることができ、配管作業に関しても、給水と同じ様に行なうことが可能である。
【００５０】
［第２参考形態］
次に、本発明を適用していない第２参考形態のサイフォン排水システムについて説明する。本参考形態については、第１参考形態と同様の部分については、同一の符号を付して、詳細な説明は省略する。
【００５１】
図６及び図７に示すように、本参考形態のサイフォン排水システム１０の一時貯留槽７０は、貯留空間７２が仕切壁７４により複数（本参考形態では３つ）の個別貯留部７２Ａ、７２Ｂ、７２Ｃに区画されている。これらの個別貯留部７２Ａ〜７２Ｃは互いに上方で連通している。
【００５２】
各個別貯留部７２Ａ〜７２Ｃにはそれぞれ排水導入管１８が接続されている。また、各個別貯留部７２Ａ〜７２Ｃにはそれぞれ複数本（本参考形態では２本）のサイフォン排水管２２が水平方向に並べて接続されている。
【００５３】
次に、第２参考形態のサイフォン排水システムの作用について説明する。
第２参考形態では、第１参考形態と同様の作用効果を奏することができる。
加えて、第２参考形態の一時貯留槽７０は、各個別貯留部７２Ａ〜７２Ｃに対して複数本（本参考形態では２本）のサイフォン排水管２２が接続されることから、各個別貯留部７２Ａ〜７２Ｃ毎の排水の処理可能流量を増加させることができる。
【００５４】
またさらに、各個別貯留部７２Ａ〜７２Ｃに対してそれぞれ複数本のサイフォン排水管２２を接続することで、サイフォン排水管２２の数に合せて貯留空間を区画するものと比べて、仕切壁７４の数を減らすことができ、一時貯留槽７０のコストを下げられる。
【００５５】
［第３参考形態］
次に、本発明を適用していない第３参考形態のサイフォン排水システムについて説明する。本参考形態については、第１参考形態と同様の部分については、同一の符号を付して、詳細な説明は省略する。
【００５６】
図８及び図９に示すように、本参考形態のサイフォン排水システム１０の一時貯留槽８０は、貯留空間８２が仕切壁８４により複数（本参考形態では、３つ）の個別貯留部８２Ａ〜８２Ｃに区画されている。これらの個別貯留部８２Ａ〜８２Ｃは互いに上方で連通している。
【００５７】
各個別貯留部８２Ａ〜８２Ｃにはそれぞれ排水導入管１８が接続されている。また、各個別貯留部８２Ａ〜８２Ｃにはそれぞれ第１サイフォン排水管２２Ａと第２サイフォン排水管２２Ｂとが接続されている。この第２サイフォン排水管２２Ｂは、第１サイフォン排水管２２Ａよりも上方に配置されている。
【００５８】
次に、第３参考形態のサイフォン排水システムの作用について説明する。
第３参考形態では、第１参考形態と同様の作用効果を奏することができる。
また、サイフォン力が起動していない状態で、一時貯留槽８０内に排水が流入すると、一時貯留槽８０内の貯留空間８２が正圧となる。このとき、貯留空間８２の空気は、排水の貯留水位が達していない第２サイフォン排水管２２Ｂを通って排出される。つまり、第２サイフォン排水管２２Ｂを第１サイフォン排水管２２Ａよりも上方に配置していることから、排水の貯留水位が達していない場合に第２サイフォン排水管２２Ａを通気用の配管として使用することができる。そして、貯留空間８２の空気が排出されることにより、貯留空間８２内の圧力上昇が抑制され、排水導入管１８から一時貯留槽８０への排水をスムーズに行うことができるようになり、水廻り器具１６の排水トラップ部からの排水の拭き出し等を抑制することができるようになる。
【００５９】
続いて、サイフォン力が起動して、例えば、個別貯留部８２Ａに貯留された排水が第１サイフォン排水管２２Ａ及び第２サイフォン排水管２２Ｂを通して排水されると、個別貯留部８２Ａ内の貯留水位が下がり、貯留空間８２が負圧となるが、個別貯留部８２Ｃの貯留水位が低い又は貯留していない場合には、第２サイフォン排水管２２Ｂを通って空気が流入される。
【００６０】
つまり、第２サイフォン排水管２２Ｂを第１サイフォン排水管２２Ａよりも上方に配置することで、貯留水位が低い又は貯留していない個別貯留部８２Ｃの第２サイフォン排水管２２Ｂを通気用の配管として使用することができる。なお、条件によっては、個別貯留部８２Ｃの貯留水位が排水段階に達していない第１サイフォン排水管２２Ａを通気用の配管として使用することもできる。これにより、一時貯留槽５０内が過度に負圧になることが抑制され、貯留空間８２が負圧となることに起因する水廻り器具１６の排水トラップ部における排水異音や、破封を抑制することができる。
【００６１】
さらに、条件によって第１サイフォン排水管２２Ａ、及び第２サイフォン排水管２２Ｂを通気用の配管として使用できることから、一時貯留槽に設ける通気専用の配管を細くしたり、省略したりすることが可能となる。
【００６２】
［第１実施形態］
次に、本発明の第１実施形態のサイフォン排水システムについて説明する。本実施形態については、第１参考形態と同様の部分については、同一の符号を付して、詳細な説明は省略する。
【００６３】
図１０及び図１１に示すように、本実施形態のサイフォン排水システム１０の一時貯留槽９０は、貯留空間９２が仕切壁９４により複数（本実施形態では、３つ）の個別貯留部９２Ａ〜９２Ｃに区画されている。これらの個別貯留部９２Ａ〜９２Ｃは互いに上方で連通している。また、個別貯留部９２Ｂは、個別貯留部９２Ａ、９２Ｃよりも容量が小さく設定されている。なお、各個別貯留部９２Ａ〜９２Ｃの容量は、使用条件により適宜設定することができる。
【００６４】
個別貯留部９２Ａには、１本又は複数本（本実施形態では２本）の排水導入管１８が接続され、且つ、１本又は複数本（本実施形態では２本）のサイフォン排水管２２が平行に並べて接続されている。
個別貯留部９２Ｂには、排水導入管１８が接続されず、１本又は複数本（本実施形態では１本）のサイフォン排水管２２が接続されている。
個別貯留部９２Ｃには、１本又は複数本（本実施形態では１本）の排水導入管１８が接続され、且つ、１本又は複数本（本実施形態では２本）のサイフォン排水管２２が平行に並べて接続されている。
【００６５】
次に、第１実施形態のサイフォン排水システムの作用について説明する。
第１実施形態では、第１参考形態と同様の作用効果を奏することができる。
排水導入管１８が接続された個別貯留部９２Ａ、９２Ｃには、複数本のサイフォン排水管２２を接続し、排水導入管１８が接続されていない個別貯留部９２Ｃには、１本のサイフォン排水管２２を接続することで、一時貯留槽９０から排水が溢れ出すのを抑制しつつ、サイフォン排水管２２の本数を必要最低限に抑えることができる。このようにサイフォン排水管２２の本数を必要最低限に抑えることで、サイフォン排水管２２の取付作業の工数を減らし、且つコストダウンも達成することができる。
【００６６】
なお、第１実施形態では、個別貯留部９２Ａ、９２Ｃに複数本のサイフォン排水管２２を接続し、個別貯留部９２Ｂに１本のサイフォン排水管２２を接続する構成としているが、本発明はこの構成に限らず、例えば、個別貯留部９２Ａ、９２Ｃに１本のサイフォン排水管２２を接続し、個別貯留部９２Ｂに複数本のサイフォン排水管２２を接続してもよく、それ以外の組合せでもよい。
【００６７】
［その他の形態］
また、第１及び第３参考形態では、一時貯留槽５０（８０）の貯留空間５２（８２）が仕切壁５４（８４）により複数の個別貯留部５２Ａ〜５２Ｆ（８２Ａ〜８２Ｃ）に区画される構成としたが、これに限らず、一時貯留槽５０（８０）に仕切壁５４（８４）を設けず、貯留空間５２（８２）を複数の個別貯留部５２Ａ〜５２Ｆ（８２Ａ〜８２Ｃ）に区画しない構成としてもよい。
【００６８】
第１〜第３参考形態では、各個別貯留部の大きさを概ね同じ大きさに設定しているが、本発明はこの構成に限定される必要はなく、個別貯留部の大きさは、各戸別貯留部毎に設定してもよい。
【００６９】
また、第１〜第３参考形態及び第１実施形態に係るサイフォン排水システム１０は、水廻り器具からの排水を効率よく排出するものとして説明したが、雨水など水廻り器具１６以外からの排水を効率よく排出するために用いられるものや、工場における冷却水などに用いられるサイフォン排水システムに適用することもできる。
【００７０】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【００７１】
［試験例］
次に、本発明を適用していない従来例の一時貯留槽方式のサイフォン排水システムを２種、本発明を適用していない比較例の一時貯留槽方式のサイフォン排水システムを３種用意し、以下に示す試験１〜３を行なった。
【００７２】
（試験に用いた一時貯留槽方式のサイフォン排水システム）
比較例１：図１２に示される一時貯留槽方式のサイフォン排水システム。一時貯留槽１００の各個別貯留部１０２Ａ〜１０２Ｃにそれぞれ２本のサイフォン排水管２２が接続されている。
比較例２：比較例１の一時貯留槽方式のサイフォン排水システムと同様の構造であり、比較例１よりもサイフォン排水管２２の内径を小径とし、接続本数を増やした一時貯留槽方式のサイフォン排水システム。
従来例１：図１３に示される一時貯留槽方式のサイフォン排水システム。一時貯留槽１１０の各個別貯留部１１２Ａ〜１１２Ｃにそれぞれ１本のサイフォン排水管２３が接続されている。
従来例２：従来例１の一時貯留槽方式のサイフォン排水システムと同様の構造であり、従来例１よりもサイフォン排水管２３の内径を小径とし、接続本数を増やした一時貯留槽方式のサイフォン排水システム。
比較例３：比較例１の一時貯留槽方式のサイフォン排水システムと同様の構造であり、比較例２よりもサイフォン排水管２２の内径を小径とし、さらに接続本数を増やした一時貯留槽方式のサイフォン排水システム。
【００７３】
（試験１）
試験１では、従来例、及び比較例の各一時貯留槽方式のサイフォン排水システムにおいて、複数の水廻り器具の同時排水を行なった際に、排水総流量に対し総処理可能流量が上回るよう、総処理可能流量が１．５（Ｌ／秒）以上となるようにサイフォン排水管の本数を設定し、サイフォン力起動までの排水初期に一時貯留槽内部が満水になって水廻り器具に溢れ出さないかをみた。なお、従来例、及び比較例の各一時貯留槽方式のサイフォン排水システムの詳細については、試験１の条件、及び表１に示す。
【００７４】
（試験１の条件）
・総処理可能流量を１．５（Ｌ／秒）以上に設定。
・従来例、及び比較例の各一時貯留槽を、いずれも５００ｍｍ×６００ｍｍ×１１０ｍｍのサイズに設定。これは、ＦＬ（フロアレベル）がＳＬ（スラブレベル）＋１５０ｍｍの二重床下に一時貯留槽を設置した際の設置可能な最大の条件である。
・従来例、及び比較例の各一時貯留槽の３本の排水導入管を、浴室系統、洗面器、及び洗濯機にそれぞれ接続。
・横引き管の長さＬｈを１０ｍに設定。
【００７５】
【表１】
0005619478.tif 000002
【００７６】
（試験１の評価）
表１に示すように、試験１の条件下では、従来例１は、サイフォン起動基準水頭が一時貯留槽の高さを超えるため、サイフォン力が起動しない。また、従来例２では、比較例１、２よりもサイフォン起動時間が長くなり、サイフォン力が起動する前に一時貯留槽が満水となってしまう。
一方、比較例３は、サイフォン起動時間が比較例１、２よりも短くなるが、総処理可能流量を確保するためには、サイフォン排水管を一時貯留槽に３０本取り付ける必要があり、取付本数が多すぎて現実的ではない。
従って、試験１の条件下では、比較例１、２の一時貯留槽方式のサイフォン排水システムを用いることが好ましいことが分かる。
【００７７】
（試験２）
試験２では、従来例、及び比較例の各一時貯留槽方式のサイフォン排水システムにおいて、総処理可能流量が１．５（Ｌ／秒）以上となるようにサイフォン排水管の本数を設定し、サイフォン力を起動させるために必要な一時貯留槽の高さとＦＬ（フロアレベル）の高さについて測定した。なお、従来例、及び比較例の各一時貯留槽方式のサイフォン排水システムの詳細については、試験２の条件、及び表２に示す。
【００７８】
（試験２の条件）
・総処理可能流量を１．５（Ｌ／秒）以上に設定。
・一時貯留槽の水を溢れさせないようにすることも必要条件であり、サイフォン力の起動が遅くなると一時貯留槽のサイズもおのずと大きくする必要がある。
・従来例、及び比較例の各一時貯留槽の３本の排水導入管は、浴室系統、洗面器、及び洗濯機にそれぞれ接続。
・横引き管の長さＬｈを１０ｍに設定。
【００７９】
【表２】
0005619478.tif 000003
【００８０】
（試験２の評価）
表２に示すように、試験２の条件下（特に、長さＬｈが一定）では、従来例１、２はともに、サイフォン力を起動させるために必要な一時貯留槽の高さ、及びＦＬの高さが比較例１、２よりも高くなってしまう。
一方、比較例１は、必要な一時貯留槽の高さ、及びＦＬ（ＳＬ基準）の高さが比較例１、２よりも低くなるが、総処理可能流量を確保するためには、サイフォン排水管を一時貯留槽に３０本取り付ける必要があり、取付本数が多すぎて現実的ではない。
従って、試験２の条件下では、比較例１、２の一時貯留槽方式のサイフォン排水システムを用いることが好ましいことが分かる。
【００８１】
（試験３）
試験３では、従来例、及び比較例の各一時貯留槽方式のサイフォン排水システムにおいて、総処理可能流量が１．５（Ｌ／秒）以上となるようにサイフォン排水管の本数を設定し、且つ、ＦＬをＳＬ＋１５０ｍｍ（一時貯留槽の高さを１１０ｍｍ）に設定し、そのときの横引き管の最大長さＬｈｍａｘ（ｍ）について測定した。なお、従来例、及び比較例の各一時貯留槽方式のサイフォン排水システムの詳細については、試験３の条件、及び表３に示す。
【００８２】
（試験３の条件）
・総処理可能流量を１．５（Ｌ／秒）以上に設定。
・従来例、及び比較例の各一時貯留槽を、いずれも５００ｍｍ×６００ｍｍ×１１０ｍｍのサイズに設定。
・従来例、及び比較例の各一時貯留槽の３本の排水導入管は、浴室系統、洗面器、及び洗濯機にそれぞれ接続。
【００８３】
【表３】
0005619478.tif 000004
【００８４】
（試験３の評価）
表３に示すように、試験３の条件下（特に、一時貯留槽の高さ制限）では、従来例１、２はともに、横引き管の最大長さＬｈｍａｘが比較例１、２よりも短くなり、配管レイアウトを自由に設定し難くなる。
一方、比較例１は、横引き管の最大長さＬｈｍａｘが比較例１、２よりも長くなるが、総処理可能流量を確保するためには、サイフォン排水管を一時貯留槽に３８本取り付ける必要があり、取付本数が多すぎて現実的ではない。
従って、試験３の条件下では、比較例１、２の一時貯留槽方式のサイフォン排水システムを用いることが好ましいことが分かる。
【００８５】
以上、試験１〜３の結果から、比較例１、２の一時貯留槽方式のサイフォン排水システムは、従来例の一時貯留槽方式のサイフォン排水システム、及び、比較例３の一時貯留槽方式のサイフォン排水システムと比べて、試験１〜３の条件下において、良好な結果が得られることが分かる。
【符号の説明】
【００８６】
１０          サイフォン排水システム
１６          水廻り器具
１８          排水導入管
２２          サイフォン排水管
２３          サイフォン排水管
５０          一時貯留槽
５２          貯留空間
５２Ａ〜Ｆ    個別貯留部
５４          仕切壁
７０          一時貯留槽
７２          貯留空間
７２Ａ〜Ｃ    個別貯留部
７４          仕切壁
８０          一時貯留槽
８２          貯留空間
８２Ａ〜Ｃ    個別貯留部
８４          仕切壁
９０          一時貯留槽
９２          貯留空間
９２Ａ〜Ｃ    個別貯留部
９４          仕切壁
１００        一時貯留槽
１０２Ａ〜Ｃ  各個別貯留部
Ｈｐ          サイフォン起動基準水頭
Ｈｓ          水頭差
【図１】
0005619478.tif 000005
【図２】
0005619478.tif 000006
【図３】
0005619478.tif 000007
【図４】
0005619478.tif 000008
【図５】
0005619478.tif 000009
【図６】
0005619478.tif 000010
【図７】
0005619478.tif 000011
【図８】
0005619478.tif 000012
【図９】
0005619478.tif 000013
【図１０】
0005619478.tif 000014
【図１１】
0005619478.tif 000015
【図１２】
0005619478.tif 000016
【図１３】
0005619478.tif 000017